(57)【特許請求の範囲】
【請求項１】
設定されたジョブを実行する画像処理装置であって、
携帯端末と無線で通信する通信手段と、
前記携帯端末と当該画像処理装置の間の距離を推定する距離推定手段と、
前記距離推定手段が推定した距離に応じて、前記携帯端末が表示すべき画面を決定する画面決定手段と、
前記画面決定手段が決定した画面の画面構成情報を生成する画面構成情報生成手段と、
前記通信手段が前記画面構成情報を前記携帯端末に送信し、前記携帯端末から受信したジョブの設定条件に基づきジョブの実行を制御するジョブ実行制御手段と、を有し、
前記画面決定手段は、閾値未満の距離に対し当該画像処理装置がジョブの実行を受け付ける画面を決定し、前記閾値以上の距離に対し当該画像処理装置の状態を表示する画面を決定する、ことを特徴とする画像処理装置。
【請求項２】
設定されたジョブを実行する画像処理装置であって、
携帯端末と無線で通信する通信手段と、
前記携帯端末と当該画像処理装置の間の距離を推定する距離推定手段と、
前記距離推定手段が推定した距離に応じて、前記携帯端末が表示すべき画面を決定する画面決定手段と、
前記画面決定手段が決定した画面の画面構成情報を生成する画面構成情報生成手段と、
前記通信手段が前記画面構成情報を前記携帯端末に送信し、前記携帯端末から受信したジョブの設定条件に基づきジョブの実行を制御するジョブ実行制御手段と、を有し、
画面を表示する操作画面を有する場合、前記操作画面に表示される画面は、
前記距離推定手段が推定した距離が閾値未満の場合に、前記画面構成情報生成手段が生成する画面構成情報に基づき前記携帯端末が表示する画面と同じである、
ことを特徴とする画像処理装置。
【請求項３】
設定されたジョブを実行する画像処理装置であって、
携帯端末と無線で通信する通信手段と、
前記携帯端末と当該画像処理装置の間の距離を推定する距離推定手段と、
前記距離推定手段が推定した距離に応じて、前記携帯端末が表示すべき画面を決定する画面決定手段と、
前記画面決定手段が決定した画面の画面構成情報を生成する画面構成情報生成手段と、
前記通信手段が前記画面構成情報を前記携帯端末に送信し、前記携帯端末から受信したジョブの設定条件に基づきジョブの実行を制御するジョブ実行制御手段と、
前記通信手段が有線のネットワークを介して接続された情報処理装置と通信した場合、前記情報処理装置にて表示される画面の第２の画面構成情報を送信するサーバ手段と、を有し、
前記距離推定手段が推定した距離が閾値以上の場合に、前記画面構成情報生成手段が生成する画面構成情報により表示される画面は、前記第２の画面構成情報により表示される画面と同じである、ことを特徴とする画像処理装置。
【請求項４】
前記画面決定手段が参照する画面決定テーブルを有し、
前記画面決定テーブルには、閾値未満の距離に対し、当該画像処理装置がジョブの実行を受け付ける画面の識別情報が対応づけて登録されており、
前記閾値以上の距離に対し、当該画像処理装置の状態を表示する画面の識別情報が対応づけて登録されている、ことを特徴とする請求項１記載の画像処理装置。
【請求項５】
前記画面決定テーブルには、ユーザを識別するユーザ識別情報毎に、前記閾値未満の距離及び前記閾値以上の距離に対し画面の識別情報が対応づけて登録されている、
ことを特徴とする請求項４記載の画像処理装置。
【請求項６】
画面を表示する操作画面を有する場合、前記操作画面に表示される画面は、
前記距離推定手段が推定した距離が閾値未満の場合に、前記画面構成情報生成手段が生成する画面構成情報に基づき前記携帯端末が表示する画面と同じである、
ことを特徴とする請求項１、４又は５のいずれか１項に記載の画像処理装置。
【請求項７】
前記通信手段が有線のネットワークを介して接続された情報処理装置と通信した場合、前記情報処理装置にて表示される画面の第２の画面構成情報を送信するサーバ手段を有し、
前記距離推定手段が推定した距離が閾値以上の場合に、前記画面構成情報生成手段が生成する画面構成情報により表示される画面は、前記第２の画面構成情報により表示される画面と同じである、ことを特徴とする請求項１、４又は５のいずれか１項に記載の画像処理装置。
【請求項８】
前記距離推定手段が前記閾値未満の距離であると推定した場合、前記画面決定手段は、ジョブの設定を受け付ける画面、又は、コピージョブ、スキャンジョブ若しくは蓄積されているドキュメントに対するジョブの選択を受け付ける画面を、前記携帯端末が表示すべき画面に決定する、ことを特徴とする請求項１又は４に記載の画像処理装置。
【請求項９】
前記距離推定手段が前記閾値以上の距離であると推定した場合、前記画面決定手段は、消耗品の残量を表示する画面、動作可能か否かを表示する画面、又は、登録されているジョブの状態を表示する画面を、前記携帯端末が表示すべき画面に決定する、
ことを特徴とする請求項１又は４に記載の画像処理装置。
【請求項１０】
設定されたジョブを実行する画像処理装置の画面情報提供方法であって、
通信手段が、携帯端末と無線で通信するステップと、
距離推定手段が、前記携帯端末と当該画像処理装置の間の距離を推定するステップと、前記距離推定手段が推定した距離が閾値未満の場合、画面決定手段が、当該画像処理装置がジョブの実行を受け付ける画面を決定し、距離が前記閾値以上の場合、当該画像処理装置の状態を表示する画面を決定するステップと、
画面構成情報生成手段が、前記画面決定手段が決定した画面の画面構成情報を生成するステップと、
前記通信手段が前記画面構成情報を前記携帯端末に送信するステップと、
ジョブ実行制御手段が、前記携帯端末から受信したジョブの設定条件に基づき設定したジョブの実行を制御するステップと、を有することを特徴とする画面情報提供方法。
【請求項１１】
設定されたジョブを実行する画像処理装置に、
通信手段を用いて携帯端末と無線で通信する通信ステップと、
前記携帯端末と当該画像処理装置の間の距離を推定する距離推定ステップと、
前記距離推定ステップで推定された距離が閾値未満の場合、当該画像処理装置がジョブの実行を受け付ける画面を決定し、距離が前記閾値以上の場合、当該画像処理装置の状態を表示する画面を決定する画面決定ステップと、
前記画面決定ステップにより決定された画面の画面構成情報を生成する画面構成情報生成ステップと、
通信手段を用いて前記画面構成情報を前記携帯端末に送信するステップと、
前記携帯端末から受信したジョブの設定条件に基づきジョブの実行を制御するジョブ実行制御ステップと、を実行させるプログラム。
【発明の詳細な説明】
【技術分野】
【０００１】
本発明は、設定されたジョブを実行する画像処理装置に関する。
【背景技術】
【０００２】
プリンタやコピー機などの画像形成装置は、操作パネルを有すると共に、ネットワークを介して端末と通信する通信機能を有していることが多い。ユーザは操作パネルから主にジョブの実行を行い、端末からトナー残量などの画像形成装置の状態を取得し、端末で表示することができる。
【０００３】
操作パネルにデフォルトで表示しておきたいアプリケーション画面（例えば、コピー、ドキュメントボックス、プリンタ、送信等）はユーザにより異なるため、ユーザ毎に操作パネルに表示されるアプリケーション画面をユーザや管理者が予め設定しておきたいという要求がある。このような要求に対し、ユーザや管理者がユーザ毎に初期表示画面を設定することができ、ユーザが画像形成装置にログインする際、ユーザ毎の初期表示画面を表示できるUIカスタマイズ機能を搭載した画像形成装置が知られている。
【０００４】
また、ユーザが遠隔地から画像形成装置を操作する際の端末として、ＰＣ（Personal Computer）だけでなく、スマートフォンやタブレットなどの携帯端末が普及してきている。そこで、携帯端末を用いたユーザが容易に画像形成装置を探し出せるように、画像形成装置の位置情報を提供する技術がある（例えば、特許文献１参照。）。特許文献１には、携帯端末がネットワークサーバに位置情報を送信して、ネットワークサーバは位置情報を基に地図情報検索手段とプリンタ設置情報検索手段を使用して、携帯端末に最も近い順にプリンタの設置場所の一覧を作成して携帯端末に送信する位置確認プリンタシステムが開示されている。
【発明の概要】
【発明が解決しようとする課題】
【０００５】
しかしながら、従来の画像形成装置では、ユーザは、遠隔地から操作する際はＰＣや携帯端末を使用する必要があり、ジョブ実行を行うためには機器に備え付けられた操作パネルを使用する必要があった。そのため、ユーザは画像形成装置に対する操作を行うにあたり、利用シーンに応じて複数の操作デバイスを使い分けることが必要であるという問題があった。
【０００６】
例えば、ジョブを実行するためには、操作パネルに表示されるユーザが所望するアプリケーション画面から操作を行い、遠隔地から操作するには端末の画面を目視して操作する必要がある。
【０００７】
ユーザは操作パネルから、ジョブを実行することも一部の状態確認を行うこともできるが、ユーザは操作パネルを操作してジョブの実行画面と状態確認画面を切り替える必要があり、操作手順が多くかかったり、操作が難しいという不都合がある。この点では、操作デバイスを使い分ける使用方法に利点があり、操作パネルと端末を使い分けることでユーザは目的の機能や画面に短時間で到達できる。
【０００８】
以上から、１つの操作デバイスで目的の機能に容易に到達できる操作体系を提供することでユーザの利便性が向上することが期待できる。
【０００９】
本発明は、上記課題に鑑み、操作デバイスを切り替える必要のない画像形成装置を提供することを目的とする。
【課題を解決するための手段】
【００１０】
本発明は、設定されたジョブを実行する画像処理装置であって、携帯端末と無線で通信する通信手段と、前記携帯端末と当該画像処理装置の間の距離を推定する距離推定手段と、  前記距離推定手段が推定した距離に応じて、前記携帯端末が表示すべき画面を決定する画面決定手段と、前記画面決定手段が決定した画面の画面構成情報を生成する画面構成情報生成手段と、記通信手段が前記画面構成情報を前記携帯端末に送信し、前記携帯端末から受信したジョブの設定条件に基づきジョブの実行を制御するジョブ実行制御手段と、を有し、前記画面決定手段は、閾値未満の距離に対し当該画像処理装置がジョブの実行を受け付ける画面を決定し、前記閾値以上の距離に対し当該画像処理装置の状態を表示する画面を決定する、ことを特徴とする。
【発明の効果】
【００１１】
操作デバイスを切り替える必要のない画像形成装置を提供することができる。
【図面の簡単な説明】
【００１２】
【図１】本実施形態の画像形成装置の概略的な特徴を説明する図の一例である。
【図２】通信システムのシステム構成図の一例である。
【図３】携帯端末のハードウェア構成図の一例である。
【図４】画像形成装置のハードウェア構成図の一例である。
【図５】ユーザ情報等の一例を示す図である。
【図６】ＵＩ管理部の機能ブロックの一例を示す図である。
【図７】携帯端末の概略的な機能ブロック図の一例である。
【図８】ユーザが画像形成装置を利用する場面を説明する図の一例である。
【図９】画像形成装置が携帯端末から画面の要求を処理する手順を示すフローチャート図の一例である。
【図１０】画像形成装置が携帯端末に画面情報を送信する手順を示すフローチャート図の一例である。
【図１１】距離が近い場合の画面の表示例として、コピー画面の一例を示す図である。
【図１２】距離が近い場合の画面の表示例として、アプリ選択画面の一例を示す図である。
【図１３】距離が遠い場合の画面の表示例として、ステータス画面の一例を示す図である。
【図１４】距離が遠い場合の画面の表示例として、システム状態画面の一例を示す図である。
【図１５】距離が遠い場合の画面の表示例として、ジョブ状態確認画面の一例を示す図である。
【発明を実施するための形態】
【００１３】
以下、本発明を実施するための形態について図面を参照しながら説明する。
図１は、本実施形態の画像形成装置の概略的な特徴を説明する図の一例である。なお、画像形成装置１００は特許請求の範囲の画像処理装置に相当する。ユーザは携帯端末３００を携帯しており、携帯端末３００は画像形成装置１００と無線で通信することができる。
【００１４】
ユーザが携帯端末３００で画像形成装置１００を操作する際、画像形成装置１００が携帯端末との距離を測定する（又は、携帯端末３００が画像形成装置１００との距離を測定してもよい）。例えば、ユーザＡは画像形成装置１００の近くに存在し、ユーザＢは画像形成装置１００の遠くに存在している。
【００１５】
画像形成装置１００は、携帯端末３００との距離に応じて携帯端末３００に表示させる画面を制御する。
ユーザＡ（近い）：ジョブ実行用の画面（図ではコピー画面）
ユーザＢ（遠い）：システム状態画面
距離が近いユーザＡはジョブを実行する可能性が高いので、画像形成装置１００がジョブ実行用の例えばコピー画面を携帯端末３００に送信することで、ユーザは目的の機能をすぐに使用できる。一方、距離が遠いユーザＢはジョブを実行する可能性が低いので、画像形成装置１００が画像形成装置の状態を確認するための例えばシステム状態画面を携帯端末３００に送信することで、ユーザは少ない操作で目的果たすことができる。
【００１６】
このように、距離に応じて画面を制御することで、ユーザの利用シーンによらず、また、操作体系を複雑にすることもなく、１つの携帯端末のみで、画像形成装置１００に対する操作を行えるようにすることができる。すなわち、ユーザは操作パネル１３を使用する必要がないし、距離により利用シーンが推定されるので、操作数や操作時間を低減できる。
【００１７】
〔構成例〕
図２は、通信システムのシステム構成図の一例を示す。通信システム５００は、ネットワーク２０を介して接続された携帯端末３００、画像形成装置１００、及び、ＰＣ（Personal  Computer）２００を有している。携帯端末３００は、ネットワーク２０を介して画像形成装置１００の操作ができる情報処理装置であればよい。たとえば、スマートフォン、タブレット、ストレートＰＣ、ノートＰＣ、携帯電話、及び、ＰＤＡ（Personal  Digital  Assistant）等であるが、どのような呼称でもよい。携帯端末３００は、例えば、無線ＬＡＮ、Bluetooth（登録商標）又はＩＣ通信などの無線通信で画像形成装置１００と通信する。
【００１８】
ＰＣ２００は、ネットワークを介して画像形成装置１００の操作ができる情報処理装置である。ＰＣ２００は主にデスクトップＰＣであるが、可搬型の情報処理装置でもよく、ノートＰＣやタブレットＰＣがＰＣ２００となる場合もある。ＰＣ２００は、例えば、無線ＬＡＮ、又は、有線ＬＡＮなどで画像形成装置１００と通信する。
【００１９】
ネットワーク２０は、主にＬＡＮであるが、図示するように複数のＬＡＮがルータを介して接続されることで、複数のＬＡＮ（サブネット）を有していてもよい。後者ではネットワークにインターネットが含まれる場合がある。また、例えば、１対１で通信する場合も「ネットワークを介して通信する」ということができる。
【００２０】
画像形成装置１００は、プリンタ、コピー、スキャナ、ドキュメントボックス、送信（FAX送信、Scan To E-mail）、などの機能の１つ以上を備えた装置である。ＭＦＰ（Multifunction Peripheral）と呼ばれる場合がある。
【００２１】
図３は、携帯端末３００のハードウェア構成図の一例を示す。携帯端末３００は、無線ＬＡＮに接続する無線ＬＡＮ通信部１０８、Bluetooth（登録商標）などの近距離無線通信部１１１の他、キャリア通信部１０９を有するものと有さないものがある。本実施形態では、キャリア通信部１０９を有していても有さなくてもよい。図示する携帯端末３００は、ＣＰＵ１０１、ＲＯＭ１０２、ＲＡＭ１０３、フラッシュＲＯＭ１０４、表示部１０５、操作部１０６、メディアＩ／Ｆ部１０７、無線ＬＡＮ通信部１０８、キャリア通信部１０９、カメラ１１０、及び、近距離無線通信部１１１を有する。
【００２２】
ＣＰＵ１０１は、フラッシュＲＯＭ１０４に記憶されたプログラム１１２を実行して携帯端末３００の全体の動作を制御する。ＲＯＭ１０２は、ＩＰＬ（Initial Program Loader）や静的なデータを記憶している。ＲＡＭ１０３は、ＣＰＵ１０１がプログラム１１２を実行する際のワークエリアとして使用される。
【００２３】
フラッシュＲＯＭ１０４にはＣＰＵ１０１が実行するプログラム１１２が記憶されている。プログラム１１２は、ＯＳ（例えば、Ａｎｄｏｒｏｉｄ（登録商標）、ｉＯＳ（登録商標）、Ｗｉｎｄｏｗｓ（登録商標））、ミドルウェア、及び、携帯端末３００の下記の機能を提供するアプリが含まれる。
【００２４】
表示部１０５は、液晶や有機ＥＬなどのＵＩ画面を表示する。不図示のグラフィック制御部は、ＣＰＵ１０１がビデオＲＡＭに書き込んだ描画コマンドを解釈して表示部１０５にウィンドウ、メニュー、カーソル、文字又は画像などの各種情報を表示する。なお、表示部１０５はタッチパネルを一体に有しており、ソフトキーを表示する。
【００２５】
操作部１０６は、ユーザの操作を受け付けるハードキーやボタン、及び、タッチパネルである。ハードキーやソフトキーの操作内容はＣＰＵ１０１に通知される。
【００２６】
メディアＩ／Ｆ１０７は、フラッシュメモリ等の記録メディアに対するデータの読み出し又は書き込み（記憶）を制御する。
【００２７】
プログラム１１２は、インストール可能な形式又は実行可能な形式のファイルで、コンピュータで読み取り可能な記録メディアに記録して配布される。また、プログラム１１２は、不図示のサーバからインストール可能な形式又は実行可能な形式のファイルで携帯端末３００に配布される。
【００２８】
無線ＬＡＮ通信部１０８は、ＩＥＥＥ８０２．１１ｂ／１１ａ／１１ｇ／１１ｎに基づき変調方式、伝送速度、周波数等を制御し、データを送受信する。データを受信する際は、受信した電波をデジタル信号に変換し、データを送信する際は、ＣＰＵ１０１から送信要求されたデータを通信規格に従って変調等して電波として送信する。携帯端末３００のＩＰアドレスは無線ＬＡＮのアクセスポイントから与えられる。
【００２９】
キャリア通信部１０９は、携帯端末３００のユーザが契約している電気通信事業者によって様々な通信を行う。電気通信事業者は、例えば、ＣＤＭＡやＬＴＥなどの通信規格で通信する携帯電話事業者、ＷｉＭａｘ事業者、などである。キャリア通信部１０９にはＳＩＭ（Subscriber Identity Module Card）カードが装着されている。ＳＩＭカードは、電気通信事業者が契約者に発行する契約者情報が記憶されたＩＣカードであり、主にＩＭＳＩ（International Mobile Subscriber Identity）と呼ばれる固有の番号及び携帯電話番号等が記憶されている。
【００３０】
キャリア通信部１０９は、電気通信事業者が定める通信方式に従い変調等を行い、インターネットに接続されている不図示の基地局と通信する。基地局は電気通信事業者の事業者サーバと接続されており、事業者サーバは携帯端末３００に一時的なＩＰアドレスを与える。携帯端末３００は、インターネットを介して画像形成装置１００と通信することも可能である。
【００３１】
カメラ１１０は、ＣＣＤやＣＭＯＳの光電変換素子を備えたカラーの撮像手段である。近距離無線通信部１１１は、例えばBluetooth（登録商標）、ＩＣ通信、ＵＷＢ（Ultra Wide Band）などの近距離用の無線通信装置である。
【００３２】
図４は、画像形成装置１００のハードウェア構成図の一例を示す。画像形成装置１００は、コントローラ２４０、操作パネル１３、ＦＣＵ（ファクシミリコントロールユニット）２３、スキャナエンジン２２及びプロッタエンジン２１を有する。
【００３３】
コントローラ２４０は、ＣＰＵ２０１と、ＡＳＩＣ２０５と、ＮＢ（ノースブリッジ）２０２と、ＳＢ（サウスブリッジ）２０６と、ＭＥＭ−Ｐ（システムメモリ）２０３と、ＭＥＭ−Ｃ（ローカルメモリ）２０４と、ＨＤＤ（ハードディスクドライブ）２１８と、メモリカードスロット２１６と、ネットワークアダプタ（ネットワークインタフェースコントローラ）１１と、ＵＳＢデバイス２０８と、ＩＥＥＥ１３９４デバイス２０９と、セントロニクスデバイス２１０とを有する。
【００３４】
ＣＰＵ２０１は、種々の情報処理を実行するためのＩＣであり、アプリケーションやサービスを提供するプログラムをＵＮＩＸ（登録商標）、Ｌｉｎｕｘ（登録商標）等のＯＳによりプロセス単位で並列的に実行する。ＡＳＩＣ２０５は、画像処理用のＩＣである。ＮＢ２０２は、ＣＰＵ２０１とＡＳＩＣ２０５を接続するためのブリッジである。ＳＢ２０６は、ＮＢ２０２と周辺機器等を接続するためのブリッジである。ＡＳＩＣ２０５とＮＢ２０２は、ＡＧＰ（accelerated Graphics Port）を介して接続されている。
【００３５】
ＭＥＭ−Ｐ２０３は、ＮＢ２０２に接続されたメモリである。ＭＥＭ−Ｃ２０４は、ＡＳＩＣ２０５に接続されたメモリである。ＨＤＤ２２０は、ＡＳＩＣ２０５に接続されたストレージであり、画像データ蓄積・文書データ蓄積・プログラム蓄積・フォントデータ蓄積・フォームデータ蓄積等を行うために使用される。
【００３６】
メモリカードスロット２１６は、ＳＢ２０６に接続され、メモリカード２１７をセット（挿入）するために使用される。メモリカード２１７は、ＵＳＢメモリ等のフラッシュメモリであり、プログラム２２０を配布するために使用される。
【００３７】
ネットワークアダプタ１１は、ＭＡＣアドレスを識別情報として無線ＬＡＮ又は有線ＬＡＮを介したデータ通信を行うためのコントローラである。主に、Layer１，２の処理を行いこれより上位層の通信制御はＯＳ、ミドルウェア又はアプリケーションが受け持つ。また、Bluetooth（登録商標）にて携帯端末３００と通信する場合は、ネットワークアダプタ１１は、Bluetooth（登録商標）の通信モジュールである。また、ＩＣ通信（例えばＮＦＣ：Near Field Communication）を利用した通信の場合、ＩＣ通信装置が対応する。
【００３８】
無線ＬＡＮの場合、通信形態には、アクセスポイントを介して画像形成装置１００と通信するインフラストラクチャモードと、画像形成装置１００と直接、通信するアドホックモードがある。アドホックネットワークは、携帯端末３００と画像形成装置１００は１対１のネットワークを形成する。インフラストラクチャーモード又はアドホックモードの接続手順は、例えば以下のようになる。アクセスポイント又は画像形成装置１００がアクセスポイントとして、周囲に定期的にビーコン（チャネル（周波数範囲）、ＥＳＳＩＤ、サポートしている伝送速度、セキュリティ方式、タイムスタンプ、及び、ＱｏＳ等）を送信している。携帯端末３００がビーコンの到達範囲に進入すると、ビーコンを受信することでプローブ要求する（自機に設定されているＥＳＳＩＤを送信する）。この後、画像形成装置１００は、オープンシステム認証と共通鍵認証のどちらかの認証方法で携帯端末３００を認証すると、通信が可能になる。共通鍵認証の場合、携帯端末３００は予め暗号キーを有している。
【００３９】
Bluetooth（登録商標）の場合、携帯端末３００にＰＩＮコードが設定されていれば、携帯端末３００が画像形成装置１００との通信可能範囲に進入することで、通信が開始される。
【００４０】
また、ＵＳＢデバイス２０８は、ＵＳＢ規格に準拠したシリアルポートを提供するためのデバイスである。ＩＥＥＥ１３９４デバイス２０９は、ＩＥＥＥ１３９４規格に準拠したシリアルポートを提供するためのデバイスである。セントロニクスデバイス２１０は、セントロニクス仕様に準拠したパラレルポートを提供するためのデバイスである。ネットワークアダプタ１１と、ＵＳＢデバイス２０８と、ＩＥＥＥ１３９４デバイス２０９と、セントロニクスデバイス２１０は、ＰＣＩ（Peripheral Component Interconnect）バスを介してＮＢ２０２とＳＢ２０６に接続されている。
【００４１】
プログラム２２０には、ＯＳ、ミドルウェア、及び、下記の機能を提供するプログラムが含まれる。プログラム２２０は、インストール可能な形式又は実行可能な形式のファイルで、コンピュータで読み取り可能な記録メディアに記録して配布される。また、プログラム２２０は、不図示のサーバからインストール可能な形式又は実行可能な形式のファイルで配布される。
【００４２】
操作パネル１３は、ユーザが画像形成装置１００に入力を行うためのハードウェア（操作部）であると共に、画像形成装置１００がユーザに各種の画面を提供するためのハードウェアである表示部２１５を有する。操作パネル１３は、ＡＳＩＣ２０５に接続されている。本実施形態では、ユーザは携帯端末３００から画像形成装置１００を操作するので操作パネル１３は必ずしも必須ではないが、画像形成装置１００が操作パネル１３を有していても不都合はない。
【００４３】
ＦＣＵ２３と、スキャナエンジン２２と、プロッタエンジン２１は、ＰＣＩバスを介してＡＳＩＣ２０５に接続されている。
【００４４】
スキャナエンジン２２は、コンタクトガラスに載置された原稿を光学的に走査して、その反射光をＡ／Ｄ変換して画像処理を施し、所定の解像度のデジタルデータ（以下、画像データという）を生成する。
【００４５】
プロッタエンジン２１は、例えばタンデム型の感光ドラムを有し、画像データに基づきレーザビームを変調し感光ドラムを走査して潜像を形成する。潜像にトナーを付着して現像した１ページ毎に画像を用紙に熱と圧力で転写する。このような電子写真方式のプロッタに限られず、液滴を吐出して画像を形成するインクジェット型のプロッタエンジンでもよい。
【００４６】
ＦＣＵ２３は、ネットワークアダプタ１１を介してネットワークに接続し例えばＴ.３７，Ｔ.３８の規格に対応した通信手順、又は、公衆通信網に接続し例えばＧ３、Ｇ４規格に対応した通信手順、に従い画像データの送受信を行う。また、画像形成装置１００の電源がＯＦＦのときに画像データを受信しても、プロッタエンジン２１を起動して画像データを用紙に印刷することができる。
【００４７】
図２に戻り、画像形成装置１００の機能について説明する。なお、図２において図４と同一部には同一の符号を付しその説明は省略する。図２において、距離検出部１４、及び、ジョブ管理部１５は、ＡＰＩ（Application Interface）１６を介してメモリ管理部１７、エンジン管理部１８、及び、ユーザ管理部１９と接続されている。なお、図示する構造は模式的であり、ある機能が必要とする機能と通信可能であればよい。
【００４８】
ＵＩ管理部１２は、画像形成装置１００と携帯端末３００のＵＩ（Ｕｓｅｒ  Ｉｎｔｅｒｆａｃｅ）を管理する。ＵＩ管理部１２については後述する。
【００４９】
距離検出部１４は、携帯端末３００と画像形成装置１００との距離を検出する。距離の検出方法は、例えば、Bluetooth（登録商標）で通信する際の応答時間を利用する。例えば、距離検出部１４がネットワークアダプタ１１を介して携帯端末３００にデータを送信してから、携帯端末３００からデータを受信するまでの応答時間から距離を測定する。
【００５０】
また、無線ＬＡＮを利用してもよい。アドホックモードでは、携帯端末３００はアクセスポイントにアクセスすることなく画像形成装置１００と通信するので、距離検出部１４は、Bluetoothの場合と同様に距離を測定できる。また、ＩＣ通信で携帯端末３００と通信可能な場合、距離が近いと判断し、通信できない場合、距離が遠いと判断してもよい。
【００５１】
本実施形態では、例えば、距離が１ｍ未満と推定される場合に、距離が近いと判定し、１ｍ以上の場合に距離が遠いと判定するものとする。"１ｍ"という閾値は一例であって、例えば"５０ｃｍ""２ｍ"としてもよい。
【００５２】
なお、距離検出部１４は、画像形成装置１００が有しているのでなく、携帯端末３００が有していてもよい。この場合、携帯端末３００の距離検出部１４は、測定した距離を画像形成装置１００に送信する。また、距離検出部１４は、距離を位置情報から算出してもよい。この場合、携帯端末３００と画像形成装置１００はいずれも例えばＧＮＳＳ（Global Navigation Satellite Systems）などにより位置情報を測定し、位置情報を一方が他方に送信することで距離を算出できる。
【００５３】
ジョブ管理部１５は、携帯端末又は操作パネル１３から操作を受け付け、ジョブとして登録する。ジョブには、画像形成装置１００の機能に応じて、プリントジョブ、コピージョブ、スキャンジョブ、送信ジョブ等がある。ジョブ管理部１５は、携帯端末３００、ＰＣ２００又は操作パネルから、ジョブの種類と、ジョブに応じて設定可能な設定情報（部数、両面、仕上げ等）を受け付ける。ジョブ管理部１５は、登録されたジョブ内容に基づいてジョブを実行する。また、ジョブ管理部１５は、画像形成装置の状態（各機能が動作可能かどうか、消耗品の残量、エラー内容）、各ジョブのジョブ状態を画像形成装置の全体から収集し、ＵＩ管理部１２に提供する。
【００５４】
エンジン管理部１８は、プロッタエンジン２１、及び、スキャナエンジン２２などの各エンジンを管理する。スキャナエンジン２２を管理する際は、ＡＤＦ、ラインセンサの移動速度、取り込んだ画像のγ補正などの画像処理を行う。プロッタエンジン２１を管理する際は、画像形成、給排紙、定着温度等を制御する。
【００５５】
メモリ管理部１７は、実行されるジョブに応じてメモリを確保したり、開放するなどのメモリ管理を行う。ユーザ管理部１９は、ユーザ情報を管理する。ユーザ管理部１９は、予め登録されたユーザ情報を有している。
【００５６】
図５（ａ）は、ユーザ情報の一例を示す図である。ユーザ情報は、「ユーザＩＤ」に対応づけられた「パスワード」を有している。「ユーザＩＤ」はユーザを一意に識別するための識別情報である。ユーザＩＤに加え（又はユーザＩＤに代えて）ユーザ名が設定されていてもよい。「パスワード」は、画像形成装置１００がユーザを認証するため（ユーザが画像形成装置１００にログインするため）の数字、アルファベット、記号又はこれらの組み合わせである。
【００５７】
〔ＵＩ管理部〕
図６は、ＵＩ管理部１２の機能ブロックの一例を示す図である。ＵＩ管理部１２は、ネットワークサーバ１２１、ネットワークＵＩ受信管理部１２２、ネットワーク送信管理部１２５、操作パネル入力管理部１２３、ジョブ設定部１２６、ＵＩ構成状態管理部１２７、操作パネル表示管理部１２８、画面決定テーブル１２９、及び、操作パネルドライバ１２４を有している。
【００５８】
ネットワークサーバ１２１は、サーバとしてＴＣＰ／ＩＰなどのプロトコルスタックや、ＨＴＴＰなどのプロトコルに従い携帯端末との通信を制御する（ネットワークサーバ１２１は特許請求の範囲のサーバ手段に相当する。）。ネットワークサーバ１２１は、データ送信の際は、ネットワーク送信管理部１２５から取得したデータを通信規格に応じた通信フレーム（パケット）を格納してネットワークアダプタ１１の送信バッファに記憶し、ネットワークアダプタ１１に送信を依頼する。データ受信の際は、例えば割込みなどの仕組みを利用して、ネットワークアダプタ１１の受信バッファに格納された通信フレームを読み出しネットワークＵＩ受信管理部１２２に送出する。
【００５９】
ネットワークＵＩ受信管理部１２２は、距離検出部１４が検出した距離に基づき、画面決定テーブル１２９を参照して、ジョブ設定部１２６に指示する画面を決定する。
【００６０】
図５（ｂ）は、画面決定テーブル１２９の一例を示す図である。画面決定テーブル１２９には、「ユーザＩＤ」に対応づけて、「近距離」「遠距離」「設定内容（近距離）」「設定内容（遠距離）」が登録されている。「近距離」には、画像形成装置１００と携帯端末３００の距離が近い場合に、ユーザが携帯する携帯端末３００に表示する画面が登録されている。「遠距離」には、画像形成装置１００と携帯端末３００の距離が遠い場合に、ユーザが携帯する携帯端末３００に表示する画面が登録されている。「設定内容（近距離）」は、近距離の場合に登録されている画面において、初期設定されている内容である。例えば、近距離の場合に表示される画面がコピー画面の場合、設定内容は、印刷色の設定（白黒、フルカラー、２色等）、原稿読み取り時の濃度、用紙サイズ（自動、Ａ４，Ｂ５等）、変倍設定、片面・両面印刷の設定、ソート等について、ユーザの初期設定が登録されている。「設定内容（遠距離）」は、遠距離の場合に登録されている画面において、初期設定されている内容である。「設定内容（近距離）」「設定内容（遠距離）」のいずれの場合においても、初期設定されるべき内容がない場合（ユーザに共通でよい場合）、設定内容がない場合がある。
【００６１】
なお、ユーザ毎に画面を登録するのでなく、各ユーザに共通に初期設定の画面を登録しておいてもよい。
【００６２】
図６に戻り、ネットワークＵＩ受信管理部１２２は、ジョブ設定部１２６に画面を指示する。また、携帯端末３００が距離に応じた画面を表示した後は、ネットワークＵＩ受信管理部１２２は、ネットワークサーバ１２１が携帯端末３００又はＰＣ２００から受信したデータからジョブの種類と設定情報を抽出し、ジョブ設定部１２６に通知する。
【００６３】
ジョブ設定部１２６は、ジョブの種類と設定情報を解析して、ジョブ管理部１５に通知する。例えば、単に画面の切換だけを通知する場合と、ジョブを登録要求する場合がある。前者の場合、ジョブ設定部１２６はジョブ管理部１５に画面の切換を要求する。ジョブ管理部１５は、ＵＩ構成状態管理部１２７に画面の表示を要求する。この時、ジョブ管理部１５は、画面の作成に必要な情報（消耗品残量、エラー発生状況等）も通知する。
【００６４】
後者の場合、ジョブ設定部１２６は、ネットワークＵＩ受信管理部１２２又は操作パネル入力管理部１２３から通知された設定情報を、ジョブ管理部１５の扱う形式（画像形成装置で統一的に使用されている形式）のジョブ情報に変換し、ジョブ管理部１５に通知する。これにより、ジョブ管理部１５は例えば通知順にジョブ登録しその実行を管理する。
【００６５】
ＵＩ構成状態管理部１２７は、ジョブ管理部１５からの通知を受けて、画面構成情報をネットワーク送信管理部１２５又は操作パネル表示管理部１２８に通知する。どちらに通知するかは、ユーザが携帯端末３００を操作しているか、操作パネル１３を操作しているかにより決定される。
【００６６】
画面構成情報とは、画面を構成する情報であり、画面を構成する、図形のサイズ・色・配置位置、図形内に表示される文字や記号・文字サイズ・配置位置、等の情報を有している。ジョブ管理部１５から受ける通知とは、上記の画像形成装置の状態、各ジョブのジョブ状態などである。ＵＩ構成状態管理部１２７は、予めジョブの実行画面の画面構成情報を有しており、これに図５（ｂ）の設定内容やジョブ管理部１５から受ける通知を考慮することで、画面の状態を決定できる。画面構成情報の書式はどのようなものでもよいが例えば、ＸＭＬ、ＨＴＭＬなどである。
【００６７】
ネットワーク送信管理部１２５は、ＵＩ構成状態管理部１２７から通知される画面構成情報を、ネットワークサーバ１２１に通知する。
【００６８】
操作パネル表示管理部１２８は、ＵＩ構成状態管理部１２７から通知される画面構成情報を、操作パネルドライバ１２４に通知する。操作パネルドライバ１２４は操作パネル１３と通信するためのドライバであり、画面構成情報に基づき画面を表示する。操作パネルドライバ１２４はユーザの操作位置を操作パネル入力管理部１２３に通知する。
【００６９】
操作パネル入力管理部１２３は、操作パネルドライバ１２４からの入力に基づき、ユーザのジョブの種類と設定情報を解析しジョブ設定部１２６に通知する。
【００７０】
〔携帯端末の機能〕
図７は、携帯端末３００の概略的な機能ブロック図の一例を示す。携帯端末３００は、画面表示部３０１、操作記録部３０２、及び、操作内容送信部３０３を有している。画面表示部３０１は、画像形成装置１００から受信した画面構成情報を解釈して表示部１０５に表示する。操作記録部３０２は、画面におけるユーザの指先の位置情報をタッチパネルから取得して、その位置にあるソフトキーなどの配置に基づきユーザの操作を記録する。例えば、コピー画面では、ユーザが選択した用紙サイズ、片面・両面印刷等が記録される。
【００７１】
操作内容送信部３０３は、ユーザが例えばソフト的なスタートキーをタップすると、操作内容（ジョブの設定情報）を画像形成装置１００に送信する。Bluetooth（登録商標）で通信する場合、ペアリングが済んでいれば共通のプロファイルを介して通信できる。また、無線ＬＡＮで通信する場合、画像形成装置のＩＰアドレスが分かれば通信できる。携帯端末３００で動作するこのアプリは画像形成装置１００を想定して作成されているので、アプリにはプロファイルや画像形成装置のＩＰアドレスが登録されている。ＩＰアドレスが分かればＡＲＰ（Address Resolution Protocol）などのプロトコルで画像形成装置のＭＡＣアドレスを取得できる。
【００７２】
〔利用場面〕
図８は、ユーザが画像形成装置１００を利用する場面を説明する図の一例である。画像形成装置１００とユーザＡの距離は１ｍ未満であり、画像形成装置１００とユーザＢの距離は１ｍ以上である。また、ユーザＡとユーザＢは携帯端末３００を携帯しているが、ユーザＣはＰＣ２００を介して画像形成装置１００と通信している。ユーザＣと画像形成装置１００の距離は１ｍ以上である。
【００７３】
上記のように、１ｍを閾値とした場合、ユーザＡは近距離に存在し、ユーザＢは遠距離に存在するので、ユーザＡの携帯端末３００とユーザＢの携帯端末３００は異なる画面を表示する。ユーザＣは画像形成装置１００と有線接続しているので、ユーザＣに対しては画像形成装置１００との距離は影響しない。
【００７４】
なお、ユーザは、移動しながら携帯端末３００を操作する場合もあるので、画像形成装置１００から１ｍ以上離れていたユーザが、１ｍ以内に接近する場合もある。このため、携帯端末３００と画像形成装置１００の距離は、ユーザが停止した時、又は、周期的に測定することが好ましい。こうすることで、ユーザが移動しながら携帯端末３００を操作し、画像形成装置１００と通信しても、適宜、距離に応じた画面を提供できる。
【００７５】
また、ユーザとの距離を時系列に記録し、接近方向と離間方向のどちらに移動しているかを判定することで、ユーザが１ｍ未満に進入する前に近距離に存在すると判定することもできる。例えば、接近方向に移動しているユーザが３ｍ未満に接近したことで、近距離に存在すると判定してもよい。
【００７６】
〔動作手順〕
図９は、画像形成装置１００が携帯端末３００から画面の要求を処理する手順を示すフローチャート図の一例である。なお、携帯端末３００と画像形成装置１００は、Bluetoothなどですでに通信が確立しており、ユーザは携帯端末３００からユーザＩＤとパスワードを送信し、認証が成立しているものとする。
【００７７】
S1：ユーザが画像形成装置１００を操作するため、携帯端末３００を操作してアプリを起動する。アプリは例えばワープロアプリやプリンタユーティリティである。ユーザがさらにこのアプリを操作すると、携帯端末３００からネットワークアダプタ１１に対し、携帯端末３００を利用しているユーザのユーザＩＤと共に、画面取得要求が送信される。ユーザＩＤは携帯端末３００に予め登録されていてもよいし、ユーザが手や音声で入力してもよい。
【００７８】
Ｓ1.1：ネットワークアダプタ１１は、ユーザＩＤと共に画面取得要求をＵＩ管理部１２のネットワークサーバ１２１に通知する。
【００７９】
Ｓ1.1.1：ネットワークサーバ１２１は、ネットワークアダプタ１１を通じ距離検出部１４に対して、ユーザＩＤと共に、携帯端末３００との距離を検出する距離検出要求を送信する。
【００８０】
S1.1.1.1：ネットワークアダプタ１１は、距離検出部１４に、距離検出要求をユーザＩＤと共に通知する。距離検出部１４は、携帯端末３００との距離をネットワークアダプタ１１に通知する。ネットワークアダプタ１１は、ネットワークサーバ１２１に距離を通知する。
【００８１】
S1.1.2：ネットワークサーバ１２１は、ネットワークＵＩ受信管理部１２２に対し、ユーザＩＤと距離情報を指定して画面取得要求を通知する。
【００８２】
S1.1.2.1：ネットワークＵＩ受信管理部１２２は、携帯端末３００との距離とユーザＩＤに基づき画面決定テーブル１２９を参照して、携帯端末３００に表示すべき画面を決定する。
【００８３】
S1.1.2.2：ネットワークＵＩ受信管理部１２２は、ジョブ設定部１２６に対して決定した画面への画面切替要求を通知する。
【００８４】
S1.1.2.2.1：ジョブ設定部１２６は、画面切換要求を解析する。すなわち、画面切換要求された画面が必要とする情報を判断する。
【００８５】
S1.1.2.2.1.1〜S1.1.2.2.1.2：ジョブ設定部１２６は、解析結果に応じて、ジョブ管理部１５に画面表示を行うために必要な情報を通知する。これは、画面を表示する際に初期設定値としてどのような設定がされているかという情報を事前に通知しておく必要があるからである。一度の通知では終了しない場合、ジョブ設定部１２６は、再度、設定情報をジョブ管理部１５に対して通知する。
【００８６】
図１０は、画像形成装置１００が携帯端末３００に画面情報を送信する手順を示すフローチャート図の一例である。
【００８７】
S1：ジョブ管理部１５は、ＵＩ構成状態管理部１２７に対し画面描画要求を通知する。画面描画要求にはユーザＩＤと画面を特定するための情報が含まれる。
【００８８】
S1.1：ＵＩ構成状態管理部１２７は、要求された画面を描画するために必要な情報を取得し、画面構成情報を生成する。例えば、ジョブの実行画面であれば、アプリケーションの種類により画面は定まる。これに、図５（ｂ）の設定内容することが好適となる。また、画像形成装置の状態を確認するための画面を表示する場合、ＵＩ構成状態管理部１２７はジョブ管理部１５に画像形成装置の状態を取得するように要求する。こうすることで、画面を描画するために必要な情報を収集できる。
【００８９】
S1.1.1：ＵＩ構成状態管理部１２７は、ユーザＩＤと共に画面構成情報をネットワーク送信管理部１２５に通知することで、画面描画を要求する。
【００９０】
S1.1.1.1：ネットワーク送信管理部１２５は、ネットワークサーバ１２１に対してユーザＩＤと共に携帯端末３００への画面構成情報の送信を指示する。
【００９１】
S1.1.1.1.1：ネットワークサーバ１２１は、ユーザＩＤから通知すべき携帯端末３００を特定し、ネットワークアダプタ１１を通じて該当携帯端末３００に対して画面描画要求を通知する。
【００９２】
S1.1.1.1.1.1：ネットワークアダプタ１１が、画面構成情報を携帯端末３００に送信すると、携帯端末３００は指定された画面構成情報に基づき画面を表示する。これにより、携帯端末３００は、画像形成装置１００との距離に応じた画面を表示することができる。
【００９３】
なお、携帯端末３００と操作パネル１３で画面のサイズが異なる場合がある。完全には一致しないがほぼ同じと見なせる程度の違いの場合は、操作パネル１３と同じ配置で携帯端末３００が画面を表示することが好ましい。このため、携帯端末３００は例えばユーザＩＤと共に画面サイズを送信し、ＵＩ構成状態管理部１２７は画面サイズに合わせて画面構成情報を縮小することが有効である。
【００９４】
ＵＩ構成状態管理部１２７が画面構成情報を縮小すると、文字が読めなくなるほど表示部のサイズが小さい場合、ＵＩ構成状態管理部１２７は画面構成情報を縮小しない。この場合、表示部に画面の全体が入らないので、ユーザは画面をスクロールすることで画面の全体を表示できる。表示部のサイズが、操作パネル１３のサイズと比べて大きい場合は、余白を残して表示すればよい。
【００９５】
〔画面例〕
図１１、１２は距離が近い場合の画面の表示例を示す図である。図１１はコピー画面の一例を、図１２はアプリ選択画面の一例をそれぞれ示す。
【００９６】
携帯端末３００と画像形成装置間の距離が１ｍ未満など近い場合、ユーザは画像形成装置１００の操作パネル１３を操作してジョブを実行したい場合が多いと考えられる。そこで、画像形成装置３００は操作パネルに表示されるジョブの実行用の画面と同じ画面を表示する。図１１ではコピー画面が表示されているが、この他、スキャナ画面、ドキュメントボックス画面、プリンタ画面、ＦＡＸ画面などを表示することができる。
【００９７】
なお、画像形成装置３００が操作パネルを有していない場合、操作パネルに表示されるジョブの実行用の画面と同じ画面とは、従来の機種又は同等の機種の操作パネルに表示される画面を意味する。
【００９８】
コピー画面では、印刷色の選択欄５０１、用紙の選択欄５０２、片面・両面の選択欄５０３、変倍の指定欄５０４等がある。図では、印刷色として「白色」が、用紙として「Ａ４」が、片面・両面の指定は「片面から両面に」が指定されている。
【００９９】
このように、画像形成装置１００で１つしかない操作パネル１３を用いずに、自分の携帯端末３００を用いて画像形成装置１００を操作することが可能となる。また、他のユーザが操作パネル１３でプリンタアプリケーションを実行し印刷操作をしていた場合、自分の携帯端末３００を用いてコピーの設定情報を先に画像形成装置に送信しておくことも可能となる。
【０１００】
また、図１２に示すように、携帯端末３００と画像形成装置１００の距離が近い場合に、アプリ選択画面を表示してもよい。携帯端末３００と画像形成装置１００の距離が近い場合、ユーザは画像形成装置１００の操作パネル１３を操作してジョブを実行したいが、初期設定のアプリケーション画面を固定したくないことも想定される。携帯端末３００がアプリ選択画面を表示すれば、ユーザはその時の状況で使用したいアプリケーション画面を選択できる。なお、図１２の画面も、画像形成装置１００の操作パネル１３に表示される画面と同じ画面である（完全に同一である必要はないがほぼ同じ操作が可能な画面）。
【０１０１】
図１２では、各アプリケーションを指示するためのソフトキーとして、「コピー」のソフトキー５１１、「ドキュメントボックス」のソフトキー５１２、「スキャナ」のソフトキー５１３が表示されている。ユーザは所望のアプリケーションを選択することができる。例えば、「コピー」が選択された場合、図１１のコピー画面が表示される。「ドキュメントボックス」が選択された場合、ドキュメントボックス画面が表示され、「スキャナ」が選択された場合、スキャナ画面が表示される。なお、ドキュメントボックス画面では、ユーザは画像形成装置に蓄積されているドキュメントを印刷、送信等を行うことができる。
【０１０２】
図１３〜１５は距離が遠い場合の画面の表示例を示す図である。図１３はステータス画面の一例を、図１４はシステム状態画面の一例を、図１５はジョブ状態確認画面の一例をそれぞれ示す。
【０１０３】
携帯端末３００と画像形成装置間の距離が遠い場合、ユーザは画像形成装置１００の状態を確認したり、登録されているジョブの実行状況を確認したい場合が多いと考えられる。そこで、携帯端末３００は、これらの画面を表示する。図１３のステータス画面では「Status」５２１と「Toner」５２２という項目が表示されているがスクロールバー５２３が表示されているので、ユーザはスクロールバー５２３をスライドさせるか、画面をドラッグすることで残りの部分を表示できる。「Status」にはさらに「System」「Copier」「Scanner」の項目があり、「System」の状態は「Status OK」、「Copier」「Scanner」の状態は「Ready」である。どちらも異常がないことを意味している。「Toner」にはさらに「Black」「Cyan」「Magenta」の項目があり、それぞれの色のトナーの残量がバーの長さで表示されている。
【０１０４】
このように、画像形成装置１００との距離が遠い場合、携帯端末３００は機器状態を表示することができる。このステータス画面はＰＣ２００のブラウザが、画像形成装置のネットワークサーバから画面構成情報を受信して表示する画面と同様であり、ユーザはＰＣ２００を用いた場合と同様の画面を表示できる（完全に同一である必要はないがほぼ同じ操作が可能な画面）。
【０１０５】
図１４のシステム状態画面では「状態確認」タブ５３１、「実行中ジョブ」タブ５３２、「ジョブ履歴」タブ５３３、「問い合わせ情報」タブ５３４のタブが選択可能に表示されている。現在は「状態確認」タブ５３１が選択されており、「機器の状態」「コピー」「スキャナ」「ファクス」の各状態が表示されている。「機器の状態」は「トナー認識不可」であり、「コピー」の状態は「用紙サイズ不一致」であり、「スキャナ」の状態は「送信中です」であり、「ファクス」の状態は「手差しでエラー発生」となっている。
【０１０６】
このように、画像形成装置１００との距離が遠い場合、携帯端末３００はシステム状態画面を表示することができる。このシステム状態画面はＰＣ２００のブラウザが表示する場合と同様であり、ユーザはＰＣ２００を用いた場合と同様の画面を表示できる。
【０１０７】
図１５のジョブ状態確認画面ではジョブ毎に、「状況」５４１、「ユーザ名」５４２、「文書名」５４３、「セット」５４４が表示されている。「状況」５４１には「読取／印刷中」「印刷中」「保留中」「待機中」がある。ユーザは各ジョブの状況を把握できる。また、ユーザはジョブの実行順序を入れ替えることができる。実行順序を変えたいジョブをタップ（押下）により選択して、「先頭へ」ボタン５４５、「前へ」ボタン５４６、「次へ」ボタン５４７をタップする。
【０１０８】
このように、画像形成装置１００との距離が遠い場合、携帯端末３００はジョブ状態確認画面を表示することができる。このジョブ状態確認画面はＰＣ２００のブラウザが表示する場合と同様であり、ユーザはＰＣ２００を用いた場合と同様の画面を表示できる。よって、ユーザは、遠隔地から、画像形成装置１００に対する自分の予約したジョブの状態確認や状態の変更を、自分の携帯端末を用いて行うことが可能となる。
【０１０９】
以上説明したように、本実施形態の画像形成装置１００は、携帯端末３００との距離に応じて携帯端末３００に提供する画面を制御する。これにより、ユーザの利用シーンによらず、操作体系を複雑にすることもなく、１つの携帯端末のみで、ユーザが画像形成装置１００に対する操作を行えるようにすることができる。ユーザは距離により推定された利用シーンに最適な画面から、簡単な操作で目的の操作を行うことができる。
【符号の説明】
【０１１０】
１１      ネットワークアダプタ
１２      ＵＩ管理部
１３      操作パネル
１４      距離検出部
１５      ジョブ管理部
１００    画像形成装置
１２１    ネットワークサーバ
１２２    ネットワークＵＩ受信管理部
１２３    操作パネル入力管理部
１２４    操作パネルドライバ
１２５    ネットワーク送信管理部
１２６    ジョブ設定部
１２７    ＵＩ構成状態管理部
１２８    操作パネル表示管理部
２００    ＰＣ
３００    携帯端末
【先行技術文献】
【特許文献】
【０１１１】
【特許文献１】特開２００６−１９５７６５号公報
【図１】
0005962240.tif 000002
【図２】
0005962240.tif 000003
【図３】
0005962240.tif 000004
【図４】
0005962240.tif 000005
【図５】
0005962240.tif 000006
【図６】
0005962240.tif 000007
【図７】
0005962240.tif 000008
【図８】
0005962240.tif 000009
【図９】
0005962240.tif 000010
【図１０】
0005962240.tif 000011
【図１１】
0005962240.tif 000012
【図１２】
0005962240.tif 000013
【図１３】
0005962240.tif 000014
【図１４】
0005962240.tif 000015
【図１５】
0005962240.tif 000016